(57)【要約】【課題】  幼児や高齢者にとって使い勝手の良いフェンス装置を提供する。【解決手段】  公園遊具等の対象物を内部に取り囲むために設置されるフェンス装置１であって、出入口となる門扉２を支柱１０によって開閉自在に保持するようにし、更に、門扉２の両脇にサイドフェンス４、６を延在配置して、外部から対象物側への動物等の進入を防止する。更に、サイドフェンス４、６は門扉２の出入口面に対して、傾斜するように配置している。【選択図】図１
0003108438.tif 000002
【実用新案登録請求の範囲】
【請求項１】
公園遊具等の対象物を内部に取り囲むように設置されるフェンス装置であって、
出入口となる門扉と、
前記門扉を開閉自在に保持する支柱と、
前記門扉の両脇に延在し、外部から前記対象物側への進入を防止するサイドフェンスと、を備え、
前記サイドフェンスが該門扉の出入口面に対して外部側に傾斜するように配置されることを特徴とするフェンス装置。
【請求項２】
請求項１において、更に、
前記門扉と前記支柱の間に、自らの復元力によって開状態の前記門扉を自動的に閉状態に揺動させるオートヒンジを備えるようにしたことを特徴とするフェンス装置。
【請求項３】
請求項２において、
前記オートヒンジが複数設置されていることを特徴とするフェンス装置。
【請求項４】
請求項２又は３において、
前記門扉と前記支柱の間に、前記オートヒンジに加えて、自ら復元力を有さない蝶番が設置されていることを特徴とするフェンス装置。
【請求項５】
請求項１乃至４のいずれかにおいて、
前記門扉が外部側に開放可能とされており、前記サイドフェンスが前記門扉と係合することによって、該門扉の開放側のストッパとして機能することを特徴とするフェンス装置。
【考案の詳細な説明】
【技術分野】
【０００１】
本考案は、公園等の遊具に等に対して設置されるフェンス装置に関するものである。
【背景技術】
【０００２】
従来、公園には、遊具を取り囲むようにフェンス装置が設けられていることがある。例えば、砂場の周囲にフェンス装置を設けることで、犬・猫の侵入を防止して糞尿による砂の汚染を回避でき、また、砂場で遊んでいる幼児を野犬の危害から防ぐことができる。またブランコや滑り台等にフェンス装置を設置すれば、幼児が誤って遊具に近づいてしまい、接触して怪我をすることを防止できる。この種のフェンス装置は、一般的に、所定の長さの防護フェンスを連結して、上方から見た場合に、正方形又は長方形となるような柵を構成する。また、防護フェンスの一部に門扉を設置して、この門扉から出入可能なフェンス装置も存在する。
【特許文献１】特開２００３−１４４０３８
【考案の開示】
【考案が解決しようとする課題】
【０００３】
しかしながら、従来のフェンス装置は大人の視点で設計・施工されていた為、下記のような問題点を有していた。
【０００４】
（１）出入口の場所がわからない・・・砂場で遊ぶ幼児は身長が低いため、フェンス装置の全体を眺めることが出来ない。従って、フェンスよりも背が低い幼児の場合は、フェンスの外周を歩いて探さないと、出入口を見つけ出すことが出来ないという問題があった。特に、出入口に門扉が設置されており、この門扉が閉じている場合は、門扉と周囲のフェンスが一体化してしまい、一層、出入口を発見するのが難しいという問題があった。
【０００５】
（２）門扉を設置しない場合も多い・・・上記の問題から、出入口に門扉をつけていない常時開放型のフェンス装置が多く採用されているのが実情である。しかし、それでは実質的な防護効果を奏する事が出来ないという問題があった。
【０００６】
（３）出入口の門扉が開放したまま・・・一方、フェンス装置に門扉を設置したとしても、一度門扉を開けた後は、その門扉を閉めない場合が多い。結局、門扉が常時開放されている状態になってしまい、その門扉を介して犬や猫が容易に侵入してしまうという問題があった。
【０００７】
本考案は上記問題点に鑑みてなされたものであり、利用する人に対して優しいフェンス装置を提供することを目的としている。
【課題を解決するための手段】
【０００８】
上記目的は下記の手段によって達成可能である。
【０００９】
（１）公園遊具等の対象物を内部に取り囲むように設置されるフェンス装置であって、出入口となる門扉と、前記門扉を開閉自在に保持する支柱と、前記門扉の両脇に延在し、外部から前記対象物側への進入を防止するサイドフェンスと、を備え、前記サイドフェンスが該門扉の出入口面に対して外部側に傾斜するように配置されることを特徴とするフェンス装置。
【００１０】
（２）上記（１）において、更に、前記門扉と前記支柱の間に、自らの復元力によって開状態の前記門扉を自動的に閉状態に揺動させるオートヒンジを備えるようにしたことを特徴とするフェンス装置。
【００１１】
（３）上記（２）において、前記オートヒンジが複数設置されていることを特徴とするフェンス装置。
【００１２】
（４）上記（２）又は（３）において、前記門扉と前記支柱の間に、前記オートヒンジに加えて、自ら復元力を有さない蝶番が設置されていることを特徴とするフェンス装置。
【００１３】
（５）上記（１）乃至（４）のいずれかにおいて、前記門扉が外部側に開放可能とされており、前記サイドフェンスが前記門扉と係合することによって、該門扉の開放側のストッパとして機能することを特徴とするフェンス装置。
【考案の効果】
【００１４】
本考案によれば、容易に出入口を認識することが出来、幼児や高齢者とって使い勝手の良いフェンス装置を提供することが可能になる。
【考案を実施するための最良の形態】
【００１５】
以下、図面を参照して、本考案の実施の形態の例について詳細に説明する。
【００１６】
図１には、本考案の実施の形態に係るフェンス装置１が示されている。このフェンス装置１は公園に設置されて砂場１００を取り囲んでおり、出入口を構成する門扉２と、門扉２の両脇に設置される支柱８、１０と、この門扉２の両脇に延長するように設置されるサイドフェンス４、６と、これらのサイドフェンス４、６に連続して設置される複数の防護フェンス１２と、各防護フェンスを支持するポール１４と、を備える。一方の支柱１０は、門扉２を開閉自在に保持するようになっており、他方の支柱８は、門扉２の閉状態の停止部材として機能している。なお、門扉２は外側（砂場１００の反対側）に開放するようになっている。
【００１７】
サイドフェンス４、６は、門扉２の出入口面（即ち、門扉２が閉状態の面）に対して、外部側に傾斜した状態で配置されている。従って、門扉２を基準に考えると、サイドフェンス４、６が外部側に突出した状態になっている。その他の防護フェンス１２は、これらのサイドフェンス４、６を連続して、砂場１００を取り囲むように環状に配置されている。
【００１８】
図２に示されるように、門扉２は、金属パイプによって形成される長方形の外枠２１０と、この外枠２１０よりも小径の金属パイプであって、該外枠２１０の内部に鉛直方向に複数本設置される防護バー２１２を備える。更に、外枠２１０にはストッパ２１４が設置され、このストッパ２１４が支柱８と当接して、門扉２が停止するようになっている。支柱８、１０は上方において半円弧状の連結パイプ８０によって連結されており、全体として一体化されている。この連結パイプ８０の半円弧内には、プレート状の看板８２が設置されており、公園や市町村名、遊具名、出入口等を表示可能となっている。サイドフェンス４、６及び防護フェンス１２は格子状に形成されており、犬や猫等の侵入を防止できる。またこれらのフェンスを支える支柱８、１０及びポール１４は、地中に埋め込まれている基礎ブロック１０４に固定されており、荷重が作用しても転倒しないようになっている。なお、基礎ブロック１０４の更に下部には、石が敷き詰められた保持層１０６が形成されており、基礎ブロック１０４を下方から支える構造になっている。なお、これらの基礎ブロック１０４及び保持層１０６等はリサイクル素材を用いることが望ましい。
【００１９】
次に、支柱１０による門扉２の保持構造について、図３を参照して説明する。
【００２０】
門扉２と支柱１０の間には、自らの復元力によって開状態の門扉２を自動的に閉状態に移動させる２つのオートヒンジ２０６、２０８が設置されている。特に図示しないが、オートヒンジ２０６、２０８の内部にはバネ等の弾性部材が設置されており、その弾性部材の弾性力を利用して自動的に復元する構造となっている。更に、これらのオートヒンジ２０６、２０８の両外側には、蝶番２０２、２０４が設置されており、支柱１０に対して門扉２が揺動自在に保持されている。オートヒンジ２０６、２０８と、一般的な蝶番２０２、２０４を組み合わせることで、該蝶番２０２、２０４側が門扉２をしっかりと保持する分だけ、オートヒンジ２０６、２０８に作用する負荷を軽減できるので、門扉２の作動不良・破損を防止可能となっている。
【００２１】
次に、本フェンス装置１の作用について説明する。
【００２２】
図４に示されるように、本フェンス装置１においては、門扉２の両脇に位置するサイドフェンス４、６が門扉２に対して傾斜して設置されている。従って矢印Ａに示されるように、外部から視た場合に、門扉２の位置を素早く把握することが出来る。特に、フェンスよりも背の低い幼児であっても、このサイドフェンス４、６の傾斜によって門扉２に誘導される構造になっているので、自然にフェンス装置１内に入ることが可能となっている。また、支柱８、１０及び連結パイプ８０によって門扉２にアーチが形成されており、更に看板８２も設置されているので、遠くからでも視覚的に入口を認識可能になっている。
【００２３】
更に図５における矢印Ｂに示されるように、門扉２に設置されるオートヒンジ２０６、２０８によって、一旦開放した門扉２が自動的に閉まる構造になっているので、門扉２の閉め忘れを防止することが出来る。従って、犬や猫が門扉２を介して進入することを防止することができる。また、門扉２を開放する際に、この門扉２がサイドフェンス６（又はポール１４）に当接して停止するので、門扉２の揺動範囲を１８０度よりも小さく設定できる。この結果、オートヒンジ２０６、２０８の復元力を小さく設定することができ、結果として、弱い力で門扉２を開放できるようになっている。従って、十分な力を有しない高齢者や幼児であっても容易に門扉２を開放でき、使いやすい構造になっている。もし、門扉２の可動範囲を１８０度に設定すると、高い復元力を有するオートヒンジ２０６、２０８が必要となるので、幼児が容易に門扉２を開放できなくなってしまう。
【００２４】
つまり、本フェンス装置１によれば、サイドフェンス４、６によって幼児を門扉２に誘導する機能と、オートヒンジ２０６、２０８を用いることによる閉め忘れ防止機能と、門扉２の開放時の負担軽減機能とを合理的に両立できるようになっている。
【００２５】
以上、本実施形態では、オートヒンジ２０６、２０８を２個設置した場合に限って示したが、本発明はそれに限定されるものではなく、必要な復元力を発揮できれば、１個でも、或いは３個以上でも構わない。特に、門扉２の上端及び下端には通常の蝶番２０２、２０４が設置されているので、オートヒンジの個数によらずとも、高い耐久性を確保可能になっている。また、本実施形態では、フェンス装置１を砂場１００に用いた場合に限って示したが、それ以外の遊具に用いることは勿論可能である。
【産業上の利用可能性】
【００２６】
本考案は、公園等に用いる遊具等に用いることが可能である。高齢者を対象としたトレーニング遊具にも用いることが可能である。
【図面の簡単な説明】
【００２７】
【図１】本実施形態に係るフェンス装置の全体構成を示す全体上面図
【図２】同フェンス装置の門扉及びサイドフェンスの近傍を示した側面図
【図３】同門扉と支柱の連結構造を拡大して示した部分拡大図
【図４】同フェンス装置の作用を示す為の門扉近傍の斜視図
【図５】同フェンス装置の作用を示す為の門扉近傍の上面図
【符号の説明】
【００２８】
１        フェンス装置
２        門扉
４、６    サイドフェンス
８、１０  支柱
１２      防護フェンス
１４      ポール
８０      連結パイプ
８２      看板
２０２、２０４  蝶番
２０６、２０８  オートヒンジ
２１４    ストッパ
【図１】
0003108438.tif 000003
【図２】
0003108438.tif 000004
【図３】
0003108438.tif 000005
【図４】
0003108438.tif 000006
【図５】
0003108438.tif 000007